(57)【要約】【課題】  取付金具を垂木に簡単に取付けることができ、しかも取付強度の強い屋根パネルの取付け構造を提供する。【解決手段】  面材５の下面に垂木６を取付けてなる屋根パネル１を垂木６と直交する水平な屋根梁３ａ又は母屋２の上方に配置する。垂木６と同じ傾斜角度で傾斜する傾斜片７に縦片８を下方に突設してなる取付金具４を形成する。該取付金具４の縦片８に軒側の側辺８ｃから水平方向に伸びる切り込み溝１１を形成する。この取付金具４の切り込み溝１１内に前記屋根梁３ａ又は母屋２の上フランジ１４を嵌入する。傾斜片７の上面を垂木６の下面に当接する。該垂木６の下面に当接した傾斜片７を傾斜片７の下方から打入した固着具９により垂木６に固着する。【選択図】        図１
2005155078.tif 000002
【特許請求の範囲】
【請求項１】
面材の下面に垂木を取付けてなる屋根パネルを垂木と直交する水平な屋根梁又は母屋の上方に配置し、垂木と同じ傾斜角度で傾斜する傾斜片に縦片を下方に突設してなる取付金具を形成し、該取付金具の縦片に軒側の側辺から水平方向に伸びる切り込み溝を形成し、この取付金具の切り込み溝内に前記屋根梁又は母屋の上フランジを嵌入すると共に傾斜片の上面を垂木の下面に当接し、該垂木の下面に当接した傾斜片を傾斜片の下方から打入した固着具により垂木に固着して成ることを特徴とする屋根パネルの取付け構造。
【請求項２】
上記取付金具を傾斜片の両側部の夫々から縦片を下方に突設してなるものとし、両縦片の夫々に軒側の側辺から水平方向に伸びる切り込み溝を形成し、両切り込み溝の夫々に上記屋根梁又は母屋の上フランジを嵌入して成ることを特徴とする請求項１記載の屋根パネルの取付け構造。
【発明の詳細な説明】
【技術分野】
【０００１】
本発明は、取付金具を用いて屋根パネルを垂木と直交する水平な屋根梁又は母屋に取付けてなる屋根パネルの取付け構造に関する。
【背景技術】
【０００２】
従来の屋根構造には高所における施工現場での作業の省力化を目的として、面材の下面に複数本の垂木を取付けてなる屋根パネルを予め工場又は高所でない現場にて複数形成し、この屋根の一部を構成する各屋根パネルを屋根の適宜箇所に配設したものが知られている。
【０００３】
上記従来の屋根パネルの一般的な取付構造を図８に示す。図中３ａは、屋根の軒側の縁と平行に伸びる水平な屋根梁であり、３ｂは前記屋根梁３ａと直交する水平な屋根梁３ｂである。屋根梁３ａ、３ｂの内、軒側の端に位置する屋根梁３ａ（以下この屋根梁を軒先屋根梁３ａ′と称す）を除く屋根梁３ａ、３ｂの適宜箇所には束２５を立設してあり、束２５には屋根梁３ａと平行に伸びる水平な母屋２を立設している。屋根梁３ａ、３ｂ及び母屋２の夫々は、断面Ｉ字状の長尺なＩ型鋼からなり、水平な上フランジ１４及び下フランジ１８と、これら上フランジ１４及び下フランジ１８の幅方向の中間同士を連結する垂直なウェブ１７とからなる。即ち屋根梁３ａ及び母屋２は上端部に少なくとも水平方向における棟側が自由端となった上フランジ１４を有している。なお束２５の長さは、軒棟方向に並ぶ軒先屋根梁３ａ′及び母屋２の夫々の上フランジ１４の軒側の縁を結ぶ仮想線が屋根の傾斜方向と平行となるように設定されているものとする。
【０００４】
屋根パネル１は上記軒先屋根梁３ａ′及び母屋２の上方にクレーンにより屋根の勾配に合わせて傾けた状態で配置され、この状態で屋根パネル１の垂木６が複数の取付金具４′により垂木６に直交する水平な軒先屋根梁３ａ′及び母屋２の夫々の上フランジ１４に固定される。ここで取付金具４′は図９に示すように垂直な縦片２２にその側辺から水平方向に伸びる切り込み溝１１′を形成してなるものであって、このような取付金具４′を用いて屋根パネル１を軒先屋根梁３ａ′及び母屋２に固定する場合は、まず取付金具４′を水平に移動させて切り込み溝１１′内に軒先屋根梁３ａ′又は母屋２の上フランジ１４を嵌入し、次いでこの取付金具４′の側面２０を垂木６の側面２１に当接し、この状態で作業者は取付金具４′の縦片２２に設けた挿通孔２３に側方から挿通したビス等の固着具を垂木６に打入して取付金具４′を垂木６に固着する。（例えば特許文献１にはこの種の屋根パネルの取付構造が開示されている）。
【０００５】
しかしながら上記屋根パネル１の取付け構造にあっては、切り込み溝１１′内に軒先屋根梁３ａ′又は母屋２の上フランジ１４を嵌入した後において、取付金具４′をスライドして取付金具４′の側面２０を垂木６の側面２１に当接する作業が必要であり、加えてこの後に固着具により取付金具４′を垂木６に固着する際には、作業者は取付金具４′の側面２０を垂木６の側面２１に当接させた状態で保持する必要があり、このような煩わしい作業は高所においては非常に面倒であり、また危険である。またこの屋根パネル１の施工において、正確且つ簡単に固着具を垂木６に打入するには、作業者は垂木６の側方に頭を置いて、屋根パネル１の面材５の下方且つ垂木６の側方に位置させた工具により打入部分を見ながら固着具を垂木６に打入することが必要であるが、この場合、垂木６の上面に取付けた面材５が邪魔になって、固着作業を行う際に面材５に工具や作業者の頭等が当たってしまい、従って正確且つ簡単に固着作業を行うことができなかった。
【特許文献１】特開平１０−２９９１５１号公報
【発明の開示】
【発明が解決しようとする課題】
【０００６】
本発明は上記従来の問題点に鑑みて発明したものであって、面材の下面に垂木を取付けてなる屋根パネルの高所における施工作業を簡単且つ確実に行えるようにした屋根パネルの取付け構造を提供することを課題とする。
【課題を解決するための手段】
【０００７】
上記課題を解決するために本発明に係る屋根パネルの取付け構造は、面材５の下面に垂木６を取付けてなる屋根パネル１を垂木６と直交する水平な屋根梁３ａ又は母屋２の上方に配置し、垂木６と同じ傾斜角度で傾斜する傾斜片７に縦片８を下方に突設してなる取付金具４を形成し、該取付金具４の縦片８に軒側の側辺８ｃから水平方向に伸びる切り込み溝１１を形成し、この取付金具４の切り込み溝１１内に前記屋根梁３ａ又は母屋２の上フランジ１４を嵌入すると共に傾斜片７の上面を垂木６の下面に当接し、該垂木６の下面に当接した傾斜片７を傾斜片７の下方から打入した固着具９により垂木６に固着して成ることを特徴とする。
【０００８】
上記屋根パネルの取付け構造により、施工の際には作業者は取付金具４を水平方向に移動して切り込み溝１１内に屋根梁３ａ又は母屋２の上フランジ１４を嵌入するだけで傾斜片７の上面を垂木６の下面に当接することができて、簡単に取付金具４を垂木６に固着できる箇所に位置決めでき、しかもこの後に固着具９により取付金具４を垂木６に固着する際には、取付金具４を屋根梁３ａ又は母屋２に取付けて仮止めした状態で行うことができ、加えて作業者は工具を垂木６の下方に配して、該工具により傾斜片７の下方から固着部分を見ながら固着具９を垂木６に打入することができて、作業者は取付金具４を屋根パネル１の面材５に邪魔されることなく簡単且つ確実に垂木６に固着することができる。
【０００９】
また請求項２は請求項１において、上記取付金具４を傾斜片７の両側部の夫々から縦片８、８を下方に突設してなるものとし、両縦片８、８の夫々に軒側の側辺８ｃから水平方向に伸びる切り込み溝１１、１１を形成し、両切り込み溝１１、１１の夫々に上記屋根梁３ａ又は母屋２の上フランジ１４を嵌入して成ることを特徴とする。
【００１０】
上記のように取付金具４の両側に切り込み溝１１、１１を形成し、両切り込み溝１１、１１の夫々に屋根梁３ａ又は母屋２の上フランジ１４を嵌入することで、施工の際には作業者は取付金具４を水平方向に移動して両切り込み溝１１内に屋根梁３ａ又は母屋２の上フランジ１４を嵌入するだけで傾斜片７の上面を垂木６の下面にぴったりと当接することができて、より簡単且つ正確に取付金具４を垂木６に固着できる箇所に位置決めでき、しかもこの後に固着具９により取付金具４を垂木６に固着する際には、取付金具４をより一層強固に屋根梁３ａ又は母屋２に取付けて仮止めした状態で行うことができ、しかも施工が完了した後にあっても、取付金具４が屋根梁３ａ又は母屋２の長手方向と平行な垂直面内で回動する方向にがたつくことを防止できて、強固な取付け構造となる。
【発明の効果】
【００１１】
本発明では、作業者は簡単に取付金具を垂木に固着できる箇所に位置決めでき、尚且つ固着具により取付金具を垂木へ固着する際においては、作業者は仮止めした状態の取付金具を屋根パネルの面材に邪魔されることなく固着部分を見ながら簡単且つ確実に垂木に固着することができ、これらにより面材の下面に垂木を取付けてなる屋根パネルの高所における施工作業を簡単且つ確実に行える。
【発明を実施するための最良の形態】
【００１２】
以下、本発明を添付図面に示す実施形態に基いて説明する。なお本発明は屋根パネル１を軒先屋根梁３ａ′又は母屋２に固定するにあたって、図３に示すような特別な形状を有する取付金具４を用いた点に最大の特徴があり、図８に示す従来例と同一の構成については同一の番号を付与してあり、重複する説明は省略する。また図１では屋根梁３ｂ及び束２５の図示を省略している。また以下の各部材の説明に用いる方向は屋根パネル１を軒先屋根梁３ａ′及び母屋２に取り付けた状態におけるものとする。
【００１３】
図１に本実施形態の屋根パネル１の取付け構造を示す。屋根パネル１は面材５の下面に面材５の傾斜方向（軒棟方向）に沿って伸びる長尺で断面矩形状の木材よりなる垂木６を等ピッチで複数並べて取付けてなる。ここで垂木６は図２に示すように面材５の傾斜方向に直交する水平な方向における両端部の夫々と、中間の単数又は複数の箇所に設けられている。図示例では面材５の中間には２箇所に垂木６を設けている。
【００１４】
上記屋根パネル１を軒先屋根梁３ａ′及び母屋２に取付ける金具としては、図１に示すように垂木６の傾斜方向における棟側の端部以外の複数の箇所の夫々を軒先屋根梁３ａ′又は母屋２に取付けるための取付金具４と、垂木６の棟側の端部を母屋２に取付けるための接続金具２４とを用いる。
【００１５】
取付金具４は図３に示すように加工金属板を折曲することで形成されている。この取付金具４は垂木６と同じ傾斜角度で傾斜する傾斜片７の幅方向の両側端部から下方に縦片８を夫々突設してなるものである。ここで傾斜片７の傾斜方向と垂木６の傾斜方向は平行であり、傾斜片７の傾斜方向と面材５傾斜方向は平行である。また上記した傾斜片７の幅方向は垂木６の傾斜方向と直交する水平方向と平行である。
【００１６】
傾斜片７は該傾斜片７に直交する方向から見て矩形状（長方形）に形成されている。傾斜片７の幅方向の中間部には後述するビス等の固着具９（具体的には皿頭ドリルビス）を挿通するための挿通孔１０を傾斜片７の傾斜方向に複数穿設してあり、図示例ではこの挿通孔１０を傾斜片７の軒側寄りの部分、中間部分、棟側寄りの部分の計３箇所に穿設している。
【００１７】
両縦片８、８の夫々は軒先屋根梁３ａ′及び母屋２の長手方向に直交する垂直面と平行であり、傾斜片７の軒側半部から延設してなる軒側の縦片部８ａと、棟側半部から延設してなる棟側の縦片部８ｂとからなる。縦片部８ａは縦片部８ｂの下端よりも更に下方に突出しており、縦片部８ａの棟側の上端部は縦片部８ｂの軒側の端に一体に連続している。縦片部８ａには該縦片部８ａの水平方向における軒側の側辺（即ち縦片８の棟側の側辺８ｃ）から水平方向に伸びる一条の切り込み溝１１を設けてあり、切り込み溝１１は縦片部８ａの水平方向における中間まで伸びている。切り込み溝１１の夫々は、縦片部８ａの水平方向における軒側の側辺８ｃから水平方向に伸びるストレート部１２と、該ストレート部１２の奥部に連通する円形部１３とからなり、このように切り込み溝１１の奥部に円形部１３を設けることで、切り込み溝１１内に軒先屋根梁３ａ′又は母屋２の上フランジ１４を打ち込んだ際において切り込み溝１１の奥部が裂けることを防止している。なお、ストレート部１２の上縁は奥側程下方に位置するように傾斜しており、またストレート部１２の下縁は水平であり、更に円形部１３の直径はストレート部１２の奥部の溝幅よりも大きく設定されているものとする。
【００１８】
他方、図５に示す接続金具２４は両縦片１５、１５の構成のみが上記取付金具４と異なるものであり、よって以下の接続金具２４の説明では取付金具４と同一の構成については同一の番号を付与し、取付金具４と重複する説明は省略する。接続金具２４の傾斜片７の幅方向の両側端部には下方に縦片１５、１５を夫々突設している。各縦片１５、１５は母屋２の長手方向に直交する垂直面と平行であり、傾斜片７の傾斜方向における全長から傾斜片７に直交する方向に延設されてなる。各縦片１５、１５の棟側の端部は傾斜片７の傾斜方向において傾斜片７の棟側の端よりも更に棟側に突出しており、この突出部１６、１６の上端面１６ａは傾斜片７の上端と同じレベルであり水平である。また夫々の突出部１６の水平方向における棟側の端面１６ｂは母屋２の長手方向と平行な垂直面に沿っている。なお、突出部１６の上端面１６ａと端面１６ｂとによって形成されるコーナー部は図に示すように面取りされているものとする。
【００１９】
そしてこれら取付金具４及び接続金具２４を用いて屋根パネル１を軒先屋根梁３ａ′及び母屋２に取付ける場合は、図１に示すようにまずクレーンを用いて屋根パネル１の垂木６を軒先屋根梁３ａ′及び母屋２の上フランジ１４の水平方向における軒側の縁に載置し、屋根パネル１を軒先屋根梁３ａ′及び母屋２の上方に面材５及び垂木６が屋根の勾配に合わせて傾いた状態となるように配置する。この後、高所に居る作業者は、面材５の下面に複数列並べて設けた垂木６の内、単数又は複数の任意の垂木６の傾斜方向における複数の箇所の夫々を取付金具４又は接続金具２４により軒先屋根梁３ａ′又は母屋２に固定する。具体的には図１に示すように任意の垂木６の軒寄りの部分を取付金具４を用いて軒先屋根梁３ａ′に取付け、中間部分を取付金具４を用いて軒と棟の中間に位置する母屋２に取付け、棟側の端部を接続金具２４を用いて棟側の端部に位置する母屋２に取付ける。
【００２０】
ここで図４に基づいて垂木６の軒寄りの部分を軒先屋根梁３ａ′に固定する場合について説明すると、作業者はまず取付金具４を軒先屋根梁３ａ′の平面視で垂木６と交差する部分の棟側に取付金具４を配置し、この状態から取付金具４を水平方向に移動して両切り込み溝１１、１１内に軒先屋根梁３ａ′の上フランジ１４の水平方向における棟側部分を挿入する。即ち、軒先屋根梁３ａ′の上フランジ１４のその長手方向に離れた２箇所が両切り込み溝１１、１１内に挿入される。挿入を進めると傾斜片７も同時に水平方向における軒側に移動し、ついには傾斜片７の上面は垂木６の下面にぴったりと当接し、同時に両切り込み溝１１、１１の夫々が上フランジ１４の水平方向における棟側部分に嵌め込まれる。次にこのように軒先屋根梁３ａ′に取付けた取付金具４の傾斜片７の各挿通孔１０に下方から固着具９の脚部を挿通し、これら固着具９の脚部を傾斜片７の下方に配した工具を用いて下方から垂木６に打入し、傾斜片７を垂木６に固着する。しかして垂木６の軒寄りの部分が軒先屋根梁３ａ′に固定される。
【００２１】
また垂木６の中間部分を母屋２に固定する場合も上記と同様に行われる。即ち図６に基づいて垂木６の中間部分を母屋２に固定する場合について説明すると、作業者はまず取付金具４を母屋２の平面視で垂木６と交差する部分の棟側に取付金具４を配置し、この状態から取付金具４を水平方向に移動して取付金具４の両切り込み溝１１、１１内に母屋２の上フランジ１４の水平方向における棟側部分を挿入する。即ち、母屋２の上フランジ１４の長手方向に離れた２箇所が両切り込み溝１１、１１内に挿入される。挿入を進めると傾斜片７も同時に水平方向における軒側に移動し、ついには傾斜片７の上面は垂木６の下面にぴったりと当接し、同時に両切り込み溝１１、１１が上フランジ１４の水平方向における棟側部分に嵌め込まれる。次にこのように母屋２に取付けた取付金具４の傾斜片７の各挿通孔１０に下方から固着具９の脚部を挿通し、これら固着具９の脚部を傾斜片７の下方に配した工具を用いて下方から垂木６に打入し、傾斜片７を垂木６に固着する。しかして垂木６の中間部分が母屋２に固定されることとなる。
【００２２】
またここで、図７に基づいて垂木６の棟側の端部を母屋２に固定する場合について説明すると、作業者はまず接続金具２４を母屋２の軒側に配置して、両縦片１５、１５の突出部１６の上端面１６ａを母屋２の上フランジ１４の水平方向における軒側部分の下面にぴったりと当接し、同時に両縦片１５、１５の突出部１６の端面１６ｂを母屋２のウエブ１７の軒側の側面の上部に当接し、同時に傾斜片７の上面を垂木６の下面に当接する。そしてこの状態で接続金具２４の傾斜片７の各挿通孔１０に下方から固着具９の脚部を挿通し、これら固着具９の脚部を傾斜片７の下方に配した工具を用いて下方から垂木６に打入し、傾斜片７を垂木６に固着する。これにより母屋２の上フランジ１４の水平方向における軒側の縁部は接続金具２４の突出部１６の上端面１６ａと垂木６の下面との間に嵌入され、結果、垂木６の棟側の端部が母屋２に固定される。なお図１及び図７では、上記屋根パネル１と棟を挟んで反対側に位置する屋根パネル１′を図示してあり、この屋根パネル１′の垂木６の棟側の端部は接続金具２４により母屋２に取付けられていないが、勿論この屋根パネル１′の垂木６の棟側の端部を上記同様接続金具２４により母屋２に取付けて、棟を挟む両側の屋根パネル１、１′の垂木６の棟側の端部を母屋２の両側に固定しても良いものとする。
【００２３】
しかして上記の施工により屋根の一部を構成する屋根パネル１を軒先屋根梁３ａ′及び母屋２に取付けることができ、以下、屋根の他の箇所に配設した屋根パネル１を上記同様取付金具４及び接続金具２４を用いて軒先屋根梁３ａ′又は母屋２に取付けることで、建物の屋根が形成される。
【００２４】
そして上記のように屋根パネル１を取付けるにあたって、特徴のある取付金具４を用いたことで以下の利点を有する。即ち、屋根パネル１の施工の際には、作業者は取付金具４を水平方向に移動して切り込み溝１１内に軒先屋根梁３ａ′又は母屋２の上フランジ１４を嵌入するだけで傾斜片７の上面を垂木６の下面に当接することができて、簡単に取付金具４を垂木６に固着できる箇所に位置決めできる。しかもこの後に固着具９により取付金具４を垂木６に固着する際には、取付金具４を軒先屋根梁３ａ′又は母屋２に取付けて仮止めした状態で行うことができる。またこの場合、作業者は工具を垂木６の下方に配して下方から傾斜片７の固着部分を見ながら固着具９を垂木６に打入することができて、作業者は取付金具４を屋根パネル１の面材５に邪魔されることなく簡単且つ確実に垂木６に固着することができる。即ち、従来の取付金具４′を図２に示すような面材５の両端に位置する垂木６の外側の側面に取付ける場合には、上方に面材５がないためそれ程支障なく取付金具４′を垂木６に取付けることは可能ではあるが、取付金具４′を図２の面材５の中間に位置する垂木６の側面や、両端に位置する垂木６の内側の側面に取付ける場合には、面材５が非常に邪魔になって固着作業が困難となってしまうという問題があり、本実施形態では面材５の両端に配された垂木６にも、又面材５の中間に配された垂木６にも同様に支障なく取付金具４を取付けることができる。更に言うと、上記取付金具４の軒先屋根梁３ａ′又は母屋２への取付けの際には従来のように切り込み溝１１′内に軒先屋根梁３ａ′及び母屋２の上フランジ１４を嵌め込んだ後に取付金具４′を移動させてその側面２０を垂木６の側面２１に当接するといった作業をする必要がないため、切り込み溝１１の溝幅を狭くして切り込み溝１１内に上フランジ１４をより強固に嵌め込むこともできる。
【００２５】
また本実施形態では特に傾斜片７の両側端部から縦片８、８を下方に突設して取付金具４を形成し、両縦片８、８の夫々に切り込み溝１１、１１を形成し、この取付金具４の両側に位置する切り込み溝１１、１１を軒先屋根梁３ａ′又は母屋２の上フランジ１４に棟側から嵌め込んで固定しているので、作業者が取付金具４を水平方向に移動して両切り込み溝１１内に軒先屋根梁３ａ′又は母屋２の上フランジ１４を嵌入した際には、傾斜片７が軒先屋根梁３ａ′又は母屋２の長手方向と平行な垂直面内で回動することがなく、これにより傾斜片７の上面全体を垂木６の下面にぴったりと当接することができて、より簡単且つ確実に取付金具４を垂木６に固着できる箇所に位置決めでき、しかもこの後に固着具９により取付金具４を垂木６に固着する際には、取付金具４をより一層強固に軒先屋根梁３ａ′又は母屋２に取付けて仮止めした状態で行うことができ、しかも施工が完了した後にあっても、取付金具４が軒先屋根梁３ａ′又は母屋２の長手方向と平行な垂直面内で回動する方向にがたつくことを防止できる。
【００２６】
また本実施形態では上記取付金具４にて取付けることができない垂木６の棟側の端部を接続金具２４により母屋２に固定することで、安価な金属板よりなる接続金具２４を用いて屋根パネル１を軒先屋根梁３ａ′及び母屋２に一層強固に固定できる。
【図面の簡単な説明】
【００２７】
【図１】本発明の実施の形態の一例の屋根パネルの取付け構造を示す断面図である。
【図２】同上の屋根パネルを示す斜視図である。
【図３】同上の接続金具を示し、（ａ）は正面図、（ｂ）は側面図である。
【図４】図１のＡ部拡大図である。
【図５】同上の接続金具を示し、（ａ）は正面図、（ｂ）は側面図、（ｃ）は平面図である。
【図６】図１のＢ部拡大図である。
【図７】図１のＣ部拡大図である。
【図８】従来の屋根パネルの取付け構造を示す断面図である。
【図９】同上の接続金具の正面図である。
【符号の説明】
【００２８】
１  屋根パネル
２  母屋
３ａ  屋根梁
４  取付金具
５  面材
６  垂木
７  傾斜片
８  縦片
８ｃ  側辺
９  固着具
１１  切り込み溝
１４  上フランジ
【図１】
2005155078.tif 000003
【図２】
2005155078.tif 000004
【図３】
2005155078.tif 000005
【図４】
2005155078.tif 000006
【図５】
2005155078.tif 000007
【図６】
2005155078.tif 000008
【図７】
2005155078.tif 000009
【図８】
2005155078.tif 000010
【図９】
2005155078.tif 000011